(57)【要約】【課題】モニタ機能と自己表示機能を有する映像表示装置において、非選択回路ブロックによる無駄な消費電力を防ぎ且つ２つの機能の切替速度を速くする。【解決手段】切替制御回路５は、切替スイッチ１３のＯＮ／ＯＦＦ情報に基づいて切替信号を生成する。切替回路１０は、切替信号に応じて解像度変換回路８からの外部表示信号又は内部映像信号生成回路９からの内部表示信号を選択してＬＣＤパネル１１に表示させる。このとき、電池／ＡＣ判別回路４が電池１による駆動であると判断したときは、電源供給回路４は、切替制御回路５からの切替信号に基づいて、現在選択されている方の回路ブロック（例えば、解像度変換回路８）にのみ電池１の電源を供給し、非選択回路ブロックへの電源を遮断する。また、電池／ＡＣ判別回路４がＡＣアダプタ２による駆動であると判断したときは、解像度変換回路８と内部映像信号生成回路９の両方に電源を供給する。【選択図】　　　　図１
2004126437.tif 000002
【特許請求の範囲】
【請求項１】
外部から受信した外部表示信号を表示するモニタ表示機能と、装置内部で生成された内部表示信号を表示する自己表示機能とを備え、前記外部表示信号と前記内部表示信号とを選択的に表示する映像表示装置において、
電池による駆動時は、前記モニタ表示機能または前記自己表示機能のうち選択された表示機能の回路ブロックのみに電源を供給し、
ＡＣアダプタによる駆動時は、前記モニタ表示機能及び前記自己表示機能の全ての回路ブロックに電源を供給することを特徴とする映像表示装置。
【請求項２】
外部から受信した外部表示信号を表示するモニタ表示機能と、装置内部で生成された内部表示信号を表示する自己表示機能とを備え、前記外部表示信号と前記内部表示信号とを選択的に表示する映像表示装置において、
ＬＣＤモニタ装置の電源となる電池及びＡＣアダプタと、
前記ＬＣＤモニタ装置が前記電池による駆動か前記ＡＣアダプタによる駆動かを判別して駆動判別信号を送信する電池／ＡＣ駆動判別回路と、
切替スイッチのＯＮ／ＯＦＦ情報に基づいて切替信号を生成して出力する切替制御回路と、
前記切替制御回路から受信した切替信号に基づいて、前記外部表示信号または前記内部表示信号の何れかの表示信号を選択的に切り替える切替回路と、
前記切替回路から受信した外部表示信号または内部表示信号を択一的に表示するＬＣＤパネルと、
前記電池／ＡＣ駆動判別回路からの駆動判別信号と前記切替制御回路からの切替信号とに基づいて、前記ＡＣアダプタによる駆動時は前記モニタ表示機能及び前記自己表示機能を実現する全ての回路ブロックに電源を供給し、前記電池による駆動時は前記モニタ表示機能または前記自己表示機能のうち選択された表示機能を実現する回路ブロックのみに電源を供給する電源供給回路と、
記憶媒体から送信される内部映像信号を読み込み、前記ＬＣＤパネルに表示するための内部表示信号を生成して前記切替回路に送信する内部映像信号生成回路と、
パソコンから送信された外部映像信号を前記ＬＣＤパネルに適合した解像度及び周波数の外部表示信号に変換して前記切替回路に送信する解像度変換回路と
を備えたことを特徴とする映像表示装置。
【請求項３】
前記電池による駆動時において、
前記ＬＣＤパネルに外部表示信号を表示する命令が前記切替スイッチによって前記切替制御回路へ入力されたときは、
前記切替制御回路は前記電源供給回路へ外部表示信号を表示する旨の情報を出力し、且つ前記電源供給回路は前記内部映像信号生成回路の電源を遮断して前記解像度変換回路へ電源を供給し、
前記ＬＣＤパネルに内部表示信号を表示する命令が前記切替スイッチによって前記切替制御回路に入力されたときは、
前記切替制御回路は前記電源供給回路へ内部表示信号を表示する旨の情報を出力し、且つ電源供給回路は前記解像度変換回路の電源を切断して前記内部映像信号生成回路へ電源を供給する
ことを特徴とする請求項２に記載の映像表示装置。
【請求項４】
前記ＡＣアダプタによる駆動時においては、前記内部表示信号の表示と前記外部表示信号の表示とにかかわらず、内部映像信号生成回路と解像度変換回路とに電源を供給することを特徴とする請求項２または請求項３に記載の映像表示装置。
【発明の詳細な説明】
【０００１】
【発明の属する技術分野】
本発明は、外部からの表示信号と内部で生成された表示信号とを選択して、何れかの表示信号を択一的に表示することができる映像表示装置に関するものであり、より詳細には、外部からの表示信号を表示する通常のモニタ表示機能と、記憶媒体から信号を読み出し単独で映像を作り出して表示すことができる自己表示機能とを備えた映像表示装置に関するものである。
【０００２】
【従来の技術】
従来より、映像表示装置として、装置の外部からの表示信号を表示するモニタ表示機能と装置の内部で生成された表示信号を表示する自己表示機能とを備え、これらの両機能を選択的に切り替えて映像表示を行う映像表示装置が知られている。このような映像表示装置は一般的には広く知られていないが、今後、市場の需要に基づいて製品化されつつある。このような映像表示装置は、例えば、パーソナルコンピュータ（以下、パソコンという）用のモニタ表示機能と、パソコンで作成したプレゼンテーションファイルなどをメモリカード等の記憶媒体に保存しておき、モニタ装置単独で記憶媒体を経由してファイルを読み込んで表示する自己表示機能の２つの機能を備えている。そして、これらの両機能は使用目的などに応じて排他的に選択されて使用され、モニタ画面に所望の映像が表示される。
【０００３】
このようなモニタ表示機能と自己表示機能の２つの機能を備えた映像表示装置の利用の仕方として、営業マンが映像表示装置を利用する場合を例に挙げて説明する。尚、以下の説明では、モニタ表示機能と自己表示機能の２つの機能を備えた映像表示装置を単に映像表示装置ということにする。営業マンが事務所内で映像表示装置を利用する場合、客先で利用するためのプレゼンテーション用の資料をパソコンで作成する。その際、パソコンに内蔵された映像表示装置をパソコンのモニタ機能として使用する。次に、パソコンで作成したプレゼンテーション用の資料のファイルをメモリカード等の記憶媒体へ保存しておく。そして、映像表示装置の機能を自己表示機能に切替え、先に作成・保存したファイルがモニタ装置単体で正しく表示できるかどうかを確認する。すなわち、事務所内では、映像表示装置を通常のモニタ機能とプレゼンテーション用資料の自己表示機能とに切替えながら使用する、という使用の仕方を繰り返す。
【０００４】
一方、営業マンが、モニタ装置またはパソコンと共に事務所内で作成したプレゼンテーション等のメモリカードを客先へ持参した場合、顧客の前で所望のプレゼンテーションを行うために、プレゼンテーション用資料の自己表示機能のみを使用して所望のプレゼンテーション画面をモニタ装置に表示するか、または、顧客にプレゼンテーション画面を見せるために、パソコンのモニタ用表示出力に映像表示装置を接続してモニタ機能として使用する。すなわち、この場合は自己表示機能かモニタ機能のどちらか一方の機能のみを使用する。
【０００５】
以下、図面を用いて、通常のモニタ機能と自己表示機能の２つの機能を備えた画像表示装置の一般的な構成について説明する。図３は、モニタ機能と自己表示機能の２つの機能を備えた従来技術におけるＬＣＤモニタ装置の一実施例を示すブロック図である。図３において、電源供給回路３は電池１またはＡＣアダプタ２を入力電源としている。つまり、ＡＣアダプタ２がない場合は電池１を電源の供給源とし、ＡＣアダプタ２がある場合はそのＡＣアダプタ２を電源の供給源としている。ＡＣアダプタ２または電池１から供給された電源は、ＬＣＤモニタ内部回路１２の各ブロックが必要な電源電圧に変換されて各ブロックへ供給される。尚、電源供給回路の構成は、バッテリ駆動機器において一般的に採用されている構成であるので、その詳細な説明は省略する。
【０００６】
内部映像信号生成回路９は、メモリカード等の記憶媒体７から表示データファイルを読み出し、ＬＣＤパネル１１に表示できる映像信号へ変換して切替回路１０へ出力している。解像度変換回路８は、パソコン６からの外部映像信号を入力し、ＬＣＤパネル１１に表示できるように解像度および周波数を変換して切替回路１０へ出力している。尚、解像度変換回路８はＩＣチップによって形成されている。切替制御回路５は、手動スイッチである切替スイッチ１３のＯＮ／ＯＦＦ信号を入力し、そのＯＮ／ＯＦＦ情報に応じた切替信号を切替回路１０へ出力している。切替回路１０は、切替制御回路５からの切替信号を入力し、切替信号の状態に応じて、解像度変換回路８からの外部表示信号または内部映像信号生成回路９からの内部表示信号を選択してＬＣＤパネル１１へ出力している。
【０００７】
先ず、図３のＬＣＤモニタを用いてパソコン用のモニタ機能として使用する場合の動作について説明する。このとき、切替回路１０は、切替スイッチ１３の選択的な切り替えによって、切替制御回路５の制御により解像度変換回路８からの外部表示信号を選択する系統の状態にある。従って、パソコン６から出力された外部映像信号は解像度変換回路８へ入力され、解像度変換回路８によってＬＣＤパネル１１に表示するためにＬＣＤパネル１１の画素数にマッチした解像度や周波数の外部表示信号に変換される。そして、解像度変換回路８によって変換された後の外部映像信号は、切替回路１０を経由してＬＣＤパネル１１へ出力されて表示される。
【０００８】
次に、事務所などにおいてパソコンで作成したプレゼンテーション等のファイルをＬＣＤモニタ装置が単独で表示する場合の動作について説明する。このとき、切替回路１０は、切替スイッチ１３の選択的な切り替えによって、切替制御回路５の制御により内部映像信号生成回路９からの内部表示信号を選択する状態にある。メモリカード等の記憶媒体７に保存された表示データファイルは内部映像信号生成回路９によって読み出され、ＬＣＤパネル１１に表示するための内部表示信号に変換される。そして、内部映像信号生成回路９で変換された後の内部表示信号は、切替回路１０を経由してＬＣＤパネル１１へ出力されて表示される。
【０００９】
しかし、前述したようなモニタ機能と自己表示機能の２つの機能をもったＬＣＤモニタ装置を通常考えられる方法で実現した場合は次のような問題がある。つまり、解像度変換回路８と内部映像信号生成回路９は排他的に使用されるにも関わらず、解像度変換回路８と内部映像信号生成回路９の両方の回路ブロックに電源が供給されて動作しているため、現在選択されていない方の回路ブロックでは無駄に電力を消費している。このように、選択されていない回路ブロックの系統にも電源が供給されていると、例えば、営業マンが客先においてＬＣＤモニタ装置（つまり、映像表示装置）を電池駆動で使用する場合は、電池の消耗によってＬＣＤモニタ装置の使用時間を縮める原因ともなる。
【００１０】
そこで、このような電池の消耗を防ぐ対策として電池３とＡＣアダプタ２を選択的に切り替えることのできる映像表示装置が開発されている。図４は、モニタ機能と自己表示機能の２つの機能を備えた従来技術におけるＬＣＤモニタ装置の他の実施例を示すブロック図である。つまり、図４のＬＣＤモニタ装置の実施例が図３の実施例と異なるところは、切替制御回路５によって電源供給回路３を制御して電池３とＡＣアダプタ２を選択的に切り替えるようにした点である。従って、図３と重複する部分の説明は省略し、切替制御回路５によって電池１とＡＣアダプタ２を選択的に切り替える部分について説明する。
【００１１】
図４において、切替制御回路５は、切替スイッチ１３のＯＮ／ＯＦＦ信号を入力し、切替スイッチ１３のＯＮ／ＯＦＦ情報に応じた切替信号を切替回路１０および電源供給回路３へ出力している。また、電源供給回路３は、電池１またはＡＣアダプタ２からの電源と切替制御回路５からの切替信号とを入力している。そして、切替制御回路５からの切替信号が解像度変換回路８の外部表示信号を選択している場合は、電源供給回路３は、電池１またはＡＣアダプタ２から解像度変換回路８のみへ電源を供給し、内部映像信号生成回路９への電源系統を遮断している。また、切替制御回路５からの切替信号が内部映像信号生成回路９からの内部表示信号を選択している場合は、電源供給回路３は、電池１またはＡＣアダプタ２から解像度変換回路８への電源系統を遮断し、内部映像信号生成回路９のみへ電源を供給している。尚、電池１またはＡＣアダプタ２からの電源は各ブロックに必要な電圧に変換されて各ブロックへ供給される。
【００１２】
図４のＬＣＤモニタ装置が図３のＬＣＤモニタ装置と異なる部分についてさらに詳しく説明する。先ず、電池１を電源としてＬＣＤモニタ内部回路１２を駆動する場合において、切替回路１０が、切替スイッチ１３の切り替えによって、切替制御回路５を通して解像度変換回路８からの外部表示信号を選択する状態にある場合について説明する。このとき、電源供給回路３には切替制御回路５より解像度変換回路８への切替信号が入力されているので、内部映像信号生成回路９への電源系統が遮断され、電池１からは解像度変換回路８のみへ電源が供給されている。
【００１３】
また、切替回路１０が、切替スイッチ１３の切り替えによって、切替制御回路５を通して内部映像信号生成回路９からの内部表示信号を選択する状態にある場合は、電源供給回路３には切替制御回路５より内部映像信号生成回路９への切替信号が入力されている。従って、解像度変換回路８への電源系統が遮断され、電池１から内部映像信号生成回路９のみへ電源が供給されている。このようにして電源供給回路３によって電源の供給系統を制御することにより、現在選択されていない信号系統の回路ブロックの電源が遮断されるので、ＬＣＤモニタ装置（つまり、映像表示装置）に無駄な電力が消費されることがなくなる。
【００１４】
【特許文献１】
特開平０７−１５４７７９号公報　（図１、段落００１６）
【特許文献２】
特開平０９−３７１５２号公報　　（図２、段落００１６）
【特許文献３】
特開平１１−２６６３９７号公報　　（図１、段落００４４）
【００１５】
【発明が解決しようとする課題】
しかしながら、図４に示すような、映像信号を使用していない信号系統のブロックへの電源供給を遮断するＬＣＤモニタ装置（映像表示装置）においても下記のような問題点がある。つまり、内部表示信号（内部映像信号）から外部表示信号（外部映像信号）へ切り替える際には解像度変換回路８への電源が遮断されているため、解像度変換回路８のこれまでの設定情報は全て消えてしまっている。そのため、解像度変換回路８からの外部表示信号をＬＣＤパネル１１に表示するためには、パソコン６から出力された外部映像信号を解像度変換回路８で再算出し、ＬＣＤパネル１１に適した解像度や周波数の外部表示信号に変換してから表示しなければならない。つまり、解像度変換回路８に電源が供給されてから上記のような初期化処理を行わなければならないので、解像度変換回路８からの外部表示信号をＬＣＤパネル１１に表示するまでにはかなり長い時間を要してしまう。
また、外部表示信号（外部映像）から内部表示信号（内部映像）へ切り替える際も、内部映像信号生成回路９への電源が遮断されているため、内部映像信号生成回路９のこれまでの設定情報は全て消えてしまっている。そのため、外部表示信号（外部映像）の系統から内部表示信号（内部映像）の系統へ切り替えるときに初めて内部映像信号生成回路９へ電源が供給されるので、内部映像信号生成回路９の情報が初期化されて内部表示信号をＬＣＤパネル１１に表示するまでにははかなりの時間を要してしまう。
【００１６】
つまり、手動スイッチによる切替スイッチ１３から切替指示が出てから、ＬＣＤパネル１１への表示信号が外部表示信号または内部表示信号に切り替わるまでの時間は、解像度変換回路８または内部映像信号生成回路９を初期化処理した分だけ多くかかることになる。通常、このような初期化処理の時間は、類似の既存のＬＣＤモニタ回路での事例より類推すると数秒程度かかると考えられる。従って、モニタ機能と自己表示機能の２つの機能をもった従来のＬＣＤモニタ装置（つまり、映像表示装置）は外部表示信号と内部表示信号の切り替えを行うときに切替時間が長くなるなどの不具合が生じる。
【００１７】
以上述べたように、通常のモニタ機能と自己表示機能の２つの機能をもったＬＣＤモニタ装置を実現させる場合、内部・外部の映像信号に応じて必要な回路ブロックのみへ電源を供給・遮断できるような構成であれば、消費電力が増加するという問題は発生しない。しかし、必要な回路ブロック（つまり選択された回路ブロック）のみへ電源を供給・遮断すると、内部表示信号から外部表示信号へ、または外部表示信号から内部表示信号へと映像を切り替えるとき、切替時間を遅らせてしまうという不具合が発生する。
【００１８】
本発明は、このような事情に鑑みてなされたものであり、その目的とするところは、モニタ機能と自己表示機能の２つの機能を有する映像表示装置（つまり、ＬＣＤモニタ装置）において、選択されていない回路ブロックによる無駄な消費電力を防ぐと共に２つの機能の切替速度を速くすることができるような映像表示装置を提供することにある。
【００１９】
【課題を解決するための手段】
上記の課題を解決するために、本発明の映像表示装置は、外部から受信した外部表示信号を表示するモニタ表示機能と、装置内部で生成された内部表示信号を表示する自己表示機能とを備え、外部表示信号と内部表示信号とを選択的に表示する映像表示装置において、電池による駆動時は、モニタ表示機能または自己表示機能のうち選択された表示機能の回路ブロックのみに電源を供給し、ＡＣアダプタによる駆動時は、モニタ表示機能及び自己表示機能の全ての回路ブロックに電源を供給することを特徴とする。
【００２０】
また、本発明の映像表示装置は、外部から受信した外部表示信号を表示するモニタ表示機能と、装置内部で生成された内部表示信号を表示する自己表示機能とを備え、外部表示信号と内部表示信号とを選択的に表示する映像表示装置において、ＬＣＤモニタ装置の電源となる電池及びＡＣアダプタと、ＬＣＤモニタ装置が電池による駆動かＡＣアダプタによる駆動かを判別して駆動判別信号を送信する電池／ＡＣ駆動判別回路と、切替スイッチのＯＮ／ＯＦＦ情報に基づいて切替信号を生成して出力する切替制御回路と、切替制御回路から受信した切替信号に基づいて、外部表示信号または内部表示信号の何れかの表示信号を選択的に切り替える切替回路と、切替回路から受信した外部表示信号または内部表示信号を択一的に表示するＬＣＤパネルと、電池／ＡＣ駆動判別回路からの駆動判別信号と切替制御回路からの切替信号とに基づいて、ＡＣアダプタによる駆動時はモニタ表示機能及び自己表示機能を実現する全ての回路ブロックに電源を供給し、電池による駆動時はモニタ表示機能または自己表示機能のうち選択された表示機能を実現する回路ブロックのみに電源を供給する電源供給回路と、記憶媒体から送信される内部映像信号を読み込み、ＬＣＤパネルに表示するための内部表示信号を生成して切替回路に送信する内部映像信号生成回路と、パソコンから送信された外部映像信号をＬＣＤパネルに適合した解像度及び周波数の外部表示信号に変換して切替回路に送信する解像度変換回路とを備えたことを特徴とする。
【００２１】
つまり、モニタ機能と自己表示機能の２つの機能を有する本発明の映像表示装置によれば、例えば、営業マンが事務所内において自分の机で使用する場合は、映像表示装置をＡＣアダプタによって駆動することが主体であって、プレゼンテーション資料の作成時におけるモニタ機能と、作成したプレゼンテーション資料を表示させる自己表示機能とを切り替えながら使用する。また、営業マンが事務所から外に持ち出して客先で映像表示装置を使用する場合は、モニタ機能または自己表示機能の一方の機能のみを使用し、電池によって駆動することが主体である。このような利用の仕方において、電源供給回路３は、ＡＣアダプタによる駆動の場合は解像度変換回路と内部映像信号生成回路の両方に電源を供給し、電池による駆動の場合はそのときに選択されていない信号系統の回路ブロックには電源を供給しないような制御を行う。これにより、事務所内ではモニタ機能と自己表示機能の両機能を切り替えて映像表示装置を使用し、ＡＣアダプタによる駆動が主体のために切替時間の速度を優先する。また、映像表示装置を客先で使用する場合は、電池による駆動でモニタ機能または自己表示機能の何れかの機能を使用することより、消費電力を低減させて電池の使用時間を長くすることを優先させる。すなわち、映像表示装置の利用形態に応じて、切替時間の短縮化と消費電力の低減化のプライオリティ付けを変更する。これによって、事実上、従来の映像表示装置のような切替時間の遅さと無駄な消費電力による電池の消耗の速さを解消することができる。
【００２２】
また、本発明の映像表示装置は、電池による駆動時において、ＬＣＤパネルに外部表示信号を表示する命令が切替スイッチによって切替制御回路へ入力されたときは、切替制御回路は電源供給回路へ外部表示信号を表示する旨の情報を出力し、且つ電源供給回路は内部映像信号生成回路の電源を遮断して解像度変換回路へ電源を供給する。一方、ＬＣＤパネルに内部表示信号を表示する命令が切替スイッチによって切替制御回路に入力されたときは、切替制御回路は電源供給回路へ内部表示信号を表示する旨の情報を出力し、且つ電源供給回路は解像度変換回路の電源を切断して内部映像信号生成回路へ電源を供給することを特徴としている。つまり、本発明の映像表示装置によれば、使用している回路ブロックのみに電源を供給しているので消費電力を削減することができる。これによって、電池による使用寿命を延ばすことができる。
【００２３】
また、本発明の映像表示装置は、ＡＣアダプタによる駆動時においては、内部表示信号の表示と外部表示信号の表示とにかかわらず、内部映像信号生成回路と解像度変換回路とに電源を供給することを特徴とする。つまり、本発明の映像表示装置によれば、ＡＣアダプタによって常に全ての回路ブロックに電源を供給するように制御することにより、ＬＣＤパネルに内部表示信号が表示されているか外部表示信号が表示されているかにかかわらず、内部映像信号生成回路と解像度変換回路とに電源を供給することができる。言い換えれば、解像度変換回路と内部映像信号生成回路の回路ブロックは電源が常時供給されているので、内部表示信号から外部表示信号へ、または外部表示信号から内部表示信号へと映像を切り替える度に初期化処理を行う必要がなくなる。これにより、内部表示信号と外部表示信号の映像を瞬時に切り替えることが可能となる。
【００２４】
【発明の実施の形態】
以下、図面を用いて、本発明における映像表示装置の実施の形態をＬＣＤモニタ装置を例に挙げて詳細に説明する。図１は、モニタ機能と自己表示機能の２つの機能を備えた本発明におけるＬＣＤモニタ装置の実施例を示すブロック図である。図１において、ＬＣＤモニタ装置は、ＬＣＤモニタ内部回路１２と、周辺装置であるパソコン８、メモリカードなどの記憶媒体６、ＡＣアダプタ２、及び切替スイッチ１３とによって構成されている。また、ＬＣＤモニタ内部回路１２は、電池１、電源供給回路３、電池／ＡＣ判別回路４、切替制御回路５、解像度変換回路８、内部映像信号生成回路９、切替回路１０、及びＬＣＤパネル１１によって構成されている。
【００２５】
内部映像信号生成回路９は、メモリカード等の記憶媒体７から表示データファイルを読み出し、ＬＣＤパネル１１に表示することができる内部表示信号に変換して切替回路１０へ出力している。解像度変換回路８は、パソコン６からの外部映像信号を入力し、ＬＣＤパネル１１に表示できるような解像度および周波数の外部表示信号に変換して切替回路１０へ出力している。尚、解像度変換回路８はＩＣチップの形態で一般的に使用されているものであるのでその内部の詳細な説明は省略する。
【００２６】
電池／ＡＣ判別回路４は、ＡＣアダプタ２の出力レベルと電池１の出力レベルを検出することによりＡＣアダプタ２の有無を検出し、ＬＣＤモニタ内部回路１２がＡＣアダプタ２による駆動モードであるか電池１による駆動モードであるかを判別し、駆動判別信号を電源供給回路３へ出力している。ここで、電池／ＡＣ判別回路４から出力される駆動判別信号は、ＡＣアダプタ２が存在する場合はＡＣアダプタ２による駆動情報を含み、電池１のみが存在する場合は電池１による駆動情報を含んでいる。
【００２７】
切替制御回路５は、手動スイッチ等の切替スイッチ１３からのＯＮ／ＯＦＦ情報を入力し、そのＯＮ／ＯＦＦ状態に応じた切替信号を切替回路１０及び電源供給回路３へ出力している。電源供給回路３は、電池１からの電源及びＡＣアダプタ２からの電源と、切替制御回路５からの切替信号と、電池／ＡＣ判別回路４からの駆動判別信号とを入力し、電池１及びＡＣアダプタ２からの電源電圧を各ブロックに必要な電圧に変換してそれぞれのブロックへ供給している。
【００２８】
ここで、電源供給回路３が、電池／ＡＣ判別回路４からの駆動判別信号によって電池１の駆動モードを検出した場合は、切替制御回路５からの切替信号が解像度変換回路８よりの外部表示信号を選択しているときは、電源供給回路３は解像度変換回路８のみへ電池１の電源を供給し、内部映像信号生成回路９へは電池１の電源を遮断する。また、切替制御回路５からの切替信号が内部映像信号生成回路９からの内部表示信号を選択しているときは、電源供給回路３は解像度変換回路８への電池１の電源を遮断し、内部映像信号生成回路９のみに電池１の電源を供給する。尚、電源供給回路３は、自身の回路と、切替制御回路５、切替回路１０、及びＬＣＤパネル１１に対しては常時電源を供給している。
【００２９】
一方、電源供給回路３が、電池／ＡＣ判別回路４からの駆動判別信号によってＡＣアダプタ２の駆動モードを検出した場合は、切替制御回路５からの切替信号が解像度変換回路８からの外部表示信号を選択していても内部映像信号生成回路９からの内部表示信号を選択していても、電源供給回路３は、解像度変換回路８と内部映像信号生成回路９の両方に電源を供給する。尚、電源供給回路３が、自身の回路と、切替制御回路５、切替回路１０、及びＬＣＤパネル１１に対して常時電源を供給している点は前述と同じである。
【００３０】
次に、図１のＬＣＤモニタ装置における全体の動作を説明するが、先ず、電池１による駆動モードの場合を説明する。尚、この場合の前提条件として、切替回路１０は、切替スイッチ１３のＯＮ／ＯＦＦ情報により、切替制御回路５からの切替信号によって解像度変換回路８からの外部表示信号を選択している状態にあるものとする。電源供給回路３は、電池／ＡＣ判別回路４から、電池１の駆動状態を示す駆動判別信号を入力すると共に、切替制御回路５から、解像度変換回路８へ系統を切り替えるための切替信号を入力している。従って、電源供給回路３は、電池１から内部映像信号生成回路９への電源を遮断し、電池１から解像度変換回路８のみへ電源を供給している。これによって、表示信号が選択されていない系統のブロック（つまり、内部映像信号生成回路９）で無駄な電力が消費されることはなくなるので、電池１の使用時間を長くすることができる。
【００３１】
次に、パソコン６から出力された外部映像信号は解像度変換回路８へ入力され、ＬＣＤパネル１１に表示するためにＬＣＤパネル１１の画素数にマッチした解像度や周波数の外部表示信号に変換される。そして、適正に変換された後の外部表示信号は、切替回路１０を経由してＬＣＤパネル１１へ出力され、所望の外部映像信号がＬＣＤパネル１１に表示される。
【００３２】
次に、前提条件として、切替回路１０は、切替スイッチ１３のＯＮ／ＯＦＦ情報により、切替制御回路５からの切替信号によって内部映像信号生成回路９からの内部表示信号を選択している状態にある場合について説明する。この場合は電源の供給と遮断の関係は上記の場合と逆になる。つまり、電源供給回路３は、電池／ＡＣ判別回路４から、電池１の駆動状態を示す駆動判別信号を入力すると共に、切替制御回路５から、内部映像信号生成回路９へ系統を切り替えるための切替信号を入力している。従って、電源供給回路３は、電池１から解像度変換回路８への電源を遮断し、電池１から内部映像信号生成回路９のみへ電源を供給している。
【００３３】
この場合、メモリカード等の記憶媒体７に保存された表示データファイルは内部映像信号生成回路９で読み出された後、ＬＣＤパネル１１に表示するための内部表示信号に変換され、切替回路１０を経由してＬＣＤパネル１１へ出力されて所望の画像が表示される。このようにして、電源供給回路３による電源の供給・遮断制御によって、現在選択されている回路ブロックのみへ電源を供給し、現在選択されていない回路ブロックに無駄な電力が消費されるのを防止している。
【００３４】
ここで、切替スイッチ１３のＯＮ／ＯＦＦモードが直前のモードと異なる状態に切り替えられると、切替回路１０はこれまでと反対側の系統の表示信号を選択する。そして、電源供給回路３は切替信号が反転したことを検出し、これまで電源系統を遮断していた回路ブロックへ電源を供給する。従って、電源が供給された回路ブロック（解像度変換回路８または内部映像信号生成回路９）は初期化処理を行った後に通常の表示信号による動作を開始する。また、これまで電源を供給していた回路ブロックに対しては電源を遮断する。このとき、電源が遮断から供給へ切り替わることによって生じる数秒の初期化処理の後に、外部表示信号によるモニタ表示機能と内部表示信号による自己表示機能の２つの機能を随時切り替えることができる。
【００３５】
次に、ＡＣアダプタ１による駆動の場合は、電源は解像度変換回路８と内部映像信号生成回路９の両方の回路ブロックに常時供給される。このときの定常時の動作は電池２による駆動の場合と同じであるのでその説明は省略する。ここで、切替スイッチ１３のＯＮ／ＯＦＦが切り替えられると、電池１による駆動のときと同様に、切替回路１０は切替信号によってこれまでと反対側の系統の表示信号を選択するが、全ての回路ブロックに電源が供給されているため、切り替わった回路ブロックの初期化処理は不要であるので、外部表示信号によるモニタ表示機能と内部表示信号による自己表示機能の２つの機能は瞬時に切り替わる。
【００３６】
次に、電池１による駆動時とＡＣアダプタ２による駆動時における電源供給と映像切替えの制御の流れをフローチャートを用いて説明する。図２は、図１に示すＬＣＤモニタ装置における、電源供給と映像切替の制御の流れを示すフローチャートである。従って、図１及び図２を用いて電池駆動時とＡＣアダプタ駆動時における電源供給および映像切替の制御の流れを説明する。
【００３７】
先ず、ＬＣＤモニタ装置を起動すると、電池１による駆動かＡＣアダプタ２による駆動かの駆動方法が選択される（ステップＳ１）。ここで、電池１による駆動の場合は、ＬＣＤモニタ装置を起動した直後であるか否かが判定される（ステップＳ２）。電池１によってＬＣＤモニタ装置を駆動した直後の場合は（ステップＳ２でＹＥＳの場合）、手動スイッチ等の切替スイッチ１３によって、内部表示信号による内部映像表示か外部表示信号による外部映像表示かの何れをＬＣＤパネル１１に表示するかが選択される（ステップＳ４）。
【００３８】
ステップＳ４で内部映像信号の表示を選択した場合は、内部映像信号生成回路９に対して電源を遮断から供給にし、解像度変換回路８への電源を供給から遮断にする（ステップＳ５）。このとき、内部映像信号生成回路９に電池１の電源が供給されると、内部映像信号生成回路９は初期化される（ステップＳ６）。さらに、切替回路１０の入力系統は内部映像信号生成回路９の内部表示信号に切り替わる（ステップＳ７）。
【００３９】
一方、ステップＳ４で外部映像信号の表示を選択した場合は、解像度変換回路８に対して電源を遮断から供給にし、内部映像信号生成回路９への電源を供給から遮断にする（ステップＳ８）。このとき、解像度変換回路８に電池１の電源が供給されると、解像度変換回路８は初期化される（ステップＳ９）。さらに、切替回路１０の入力系統は解像度変換回路８の外部表示信号に切り替わる（ステップＳ１０）。
【００４０】
また、ステップＳ２において、電池１によってＬＣＤモニタ装置を駆動した直後でない場合は（ステップＳ２でＮＯの場合）、手動スイッチ等の切替スイッチ１３によって、内部映像表示または外部映像表示の切替えが行われたか否かの判定が行われる（ステップＳ３）。ここで、切替スイッチ１３による切り替えが行われた場合は（ステップＳ３でＹＥＳの場合）、前述と同様に、手動スイッチ等の切替スイッチ１３によって、内部表示信号による内部映像表示か外部表示信号による外部映像表示かの何れをＬＣＤパネル１１に表示するかが選択される（ステップＳ４）。そして、外部映像表示から内部映像表示へと切り替わった場合は、内部映像信号生成回路９の電源が遮断から供給へと変わり、解像度変換回路８への電源供給が遮断される（ステップＳ５）。このようにして内部映像信号生成回路９に電源が供給されることにより内部映像信号生成回路９の初期化が行われ（ステップＳ６）、さらに、切替回路１０の入力系統は内部映像信号生成回路９に切り替わる（ステップＳ７）。また、ステップＳ４で内部映像表示から外部映像表示へと切り替わった場合は、解像度変換回路８への電源が遮断から供給へと換わり内部映像信号生成回路９への電源の供給は遮断される（ステップＳ８）。そして、解像度変換回路８に電源が供給されることで、解像度変換回路８の初期化が行われ（ステップＳ９）、切替回路１０の入力系統は解像度変換回路８に切り替わる（ステップＳ１０）。
【００４１】
また、ステップＳ３で切替スイッチ１３による切り替えが行われない場合は（ステップＳ３でＮＯの場合）、同じ映像表示を継続して行うので内部・外部の映像表示選択を行う必要がないため、このときの制御の流れはステップＳ１の駆動方法選択へと戻って前述と同様の駆動方法の選択を行い、前述と同様の処理を繰り返す。
【００４２】
ステップＳ１の駆動方法の選択においてＡＣアダプタ１の駆動を選択した場合は、内部映像信号生成回路９と解像度変換回路８の両方へ電源が供給される（ステップＳ１１）。次に、手動スイッチ等の切替スイッチ１３によって内部映像表示か外部映像表示かの何れの映像を表示するかが選択される（ステップＳ１２）。ここで、内部映像表示を選択した場合は、切替回路１０の入力系統を内部映像信号生成回路９に切り替え（ステップＳ１３）、外部映像表示を選択した場合は、切替回路１０の入力系統を解像度変換回路８に切り替える（ステップＳ１４）。このようにして内部映像表示と外部映像表示の切り替えが終わると、再びステップＳ１の駆動方法の選択へと戻り、前述と同様のステップを踏んで処理を繰り返す。
【００４３】
以上述べた実施の形態は本発明を説明するための一例であり、本発明は、上記の実施の形態に限定されるものではなく、発明の要旨の範囲で種々の変形が可能である。つまり、上記の実施の形態では、電池を電源とするときは現在使用している系統の回路ブロックのみに電源を供給するようにしたが、電池が二次電池であって充電しながら使用できる形態であれば、電池を電源とする場合であっても、解像度変換回路及び内部映像信号生成回路などの全ての回路ブロックに電源を供給しても本発明は適用されることはいうまでもない。
【００４４】
【発明の効果】
以上説明したように、本発明の映像表示装置によれば、電池による駆動時においては、パソコン等からの外部映像信号に基づく外部表示信号をＬＣＤパネルに表示するときは、解像度変換回路のみへ電源を供給して内部映像信号生成回路への電源を遮断している。また、メモリカード等の記憶媒体からの表示データファイルの内部映像信号に基づく内部表示信号をＬＣＤパネルに表示するときは、内部映像信号生成回路のみへ電源を供給して解像度変換回路への電源を遮断している。このようにして、２つの表示機能の系統のうち、映像信号を使用している系統の回路ブロックのみに電源を供給し、映像信号を使用しない系統の回路ブロックの電源を遮断することにより、ＬＣＤモニタ装置などの映像表示装置の消費電力を削減することができる。よって、結果的には電池の寿命を延ばして映像表示装置の使用時間を延ばすことができる。
【００４５】
また、一般の映像表示装置は、解像度変換回路と内部映像信号生成回路の切り替え動作の過程において、例えば、内部映像信号生成回路へ電源が供給されているときは解像度変換回路への電源が遮断されてしまうので、解像度変換回路の過去の設定情報は全て消えてしまう。このため、使用する回路ブロック毎に電源を供給する度に、ＬＣＤパネルに表示するための表示信号の再算出と設定のし直しを行わなければならないので、内部表示信号から外部表示信号への切替時間が遅くなってしまう。同様に、内部映像信号生成回路についても電源を遮断から供給する度に初期設定を行わなければならないので、結果的に外部表示信号と内部表示信号との間の切替時間が遅くなってしまう。
【００４６】
しかし、本発明の映像表示装置においては、ＡＣアダプタの駆動による動作時には解像度変換回路と内部映像信号生成回路の両方に常時電源が供給されているため、映像表示信号の切り替えにすぐ対応できるので、外部表示信号と内部表示信号との間の切替時間を速くすることができる。つまり、外部表示信号から内部表示信号へ、あるいは内部表示信号から外部表示信号へ映像表示を瞬時に切り替えることができる。従って、モニタ機能と自己表示機能の切り替えを頻繁に行うＡＣアダプタによる駆動の場合には切替時間を速くするメリットを生かすことができる。一方、電池による駆動時には、切替時間は初期化処理を行うために遅くなるが、外部表示信号と内部表示信号を頻繁に切り替えることはないので、切替時間が遅いということはそれ程のデメリットにはならない。むしろ、前述のように、電池による駆動の場合は、消費電力を減らして電池の寿命を延ばすというメリットを有効に生かすことができる。
【図面の簡単な説明】
【図１】モニタ機能と自己表示機能の２つの機能を備えた本発明におけるＬＣＤモニタ装置の実施例を示すブロック図である。
【図２】図１に示すＬＣＤモニタ装置における、電源供給と映像切替の制御の流れを示すフローチャートである。
【図３】モニタ機能と自己表示機能の２つの機能を備えた従来技術におけるＬＣＤモニタ装置の一実施例を示すブロック図である。
【図４】モニタ機能と自己表示機能の２つの機能を備えた従来技術におけるＬＣＤモニタ装置の他の実施例を示すブロック図である。
【符号の説明】
１…電池、２…ＡＣアダプタ、３…電源供給回路、４…電池／ＡＣ判別回路、５…切替制御回路、６…パソコン、７…記憶媒体（メモリ―カード）、８…解像度変換回路、９…内部映像信号生成回路、１０…切替回路、１１…ＬＣＤパネル、１２…ＬＣＤモニタ内部回路、１３…切替スイッチ
【図１】
2004126437.tif 000003
【図２】
2004126437.tif 000004
【図３】
2004126437.tif 000005
【図４】
2004126437.tif 000006